(57)【要約】【課題】情報端末装置等を利用した試験や学習において、解法に関する情報を提供可能にする。【解決手段】サーバ装置３００は問題データをネットワーク接続された多機能関数電卓１００に送信し、多機能関数電卓１００から答案データを受信する。サーバ装置３００は、受信した答案データの正誤を判断し、正解と判定され且つ内容の異なる答案データの答案内容を解法データとして記憶する。そして、解法データに基づいて解答データを作成し、解法データと解答データとを多機能関数電卓１００に送信する。多機能関数電卓１００は、受信した解法データから答案データに対応する解法データを指定して、解法データを表示する。【選択図】　　　図１
2004093915.tif 000002
【特許請求の範囲】
【請求項１】
通信回線を介して情報端末装置が接続されたサーバ装置において、
問題データとその正解とを記憶する記憶手段と、
前記情報端末装置に対して問題データを送信する第１の送信手段と、
この第１の送信手段によって送信した問題データに対応する答案データを前記情報端末装置から受信する受信手段と、
この受信手段によって受信した答案データについて正誤を判断する判断手段と、
この判断手段によって正解と判断された答案データを解法データとして登録する解法データ登録手段と
この解法データ登録手段によって登録された複数の解法データを前記情報端末装置に送信する第２の送信手段と、
を備えることを特徴とするサーバ装置。
【請求項２】
前記第２の記憶手段は、前記判断手段によって正解と判断された答案データの解法の中から内容の異なる解法を解法データとして記憶することを特徴とする請求項１記載のサーバ装置。
【請求項３】
通信回線を介してサーバ装置から問題データを受信する第１の受信手段と、この第１の受信手段によって受信した問題データの中から問題を選択する選択手段と、この選択手段によって選択された問題に対して答案データを入力する入力手段と、この入力手段によって入力された答案データを送信する送信手段と、を有する情報端末装置において、
答案データの正誤を判断し、正解と判断した答案データを解法データとして登録し、この登録された複数の解法データを前記サーバ装置から受信する第２の受信手段と、
この第２の受信手段によって受信した前記解法データを表示制御する解法データ表示制御手段と、
を備えることを特徴とする情報端末装置。
【請求項４】
前記解法データは、解法の手順をステップ毎に表示するように構成され、
前記解法データ表示制御手段は、前記指定手段によって指定された解法データが有するステップの内、任意のステップ又は先頭から任意のステップまでのステップを表示するステップ表示制御手段を備えることを特徴とする請求項３記載の情報端末装置。
【請求項５】
問題データとその正解とを記憶する記憶手段と、
この記憶手段によって記憶された問題データの中から問題を選択する選択手段と、
この選択手段によって選択された問題に対する答案データを入力する入力手段と、
この入力手段によって入力された前記答案データについて正誤を判断する判断手段と、
この判断手段によって正解と判断された答案データを解法データとして登録する解法データ登録手段と
この解法データ登録手段によって登録された複数の解法データを表示制御する解法データ表示制御手段と、
を備えることを特徴とする学習支援装置。
【請求項６】
通信回線を介して情報端末装置が接続されたサーバ装置に、
問題データとその正解とを記憶する記憶機能と、
前記情報端末装置に対して問題データを送信する第１の送信機能と、
この第１の送信機能によって送信した問題データに対応する答案データを前記情報端末装置から受信する受信機能と、
この受信機能によって受信した答案データについて正誤を判断する判断機能と、
この判断機能によって正解と判断された答案データを解法データとして登録する解法データ登録機能と、
この解法データ登録機能によって登録された複数の解法データを前記情報端末装置に送信する第２の送信機能と、
を実現させるためのプログラム。
【請求項７】
通信回線を介してサーバ装置に接続されたコンピュータに、
問題データを受信する第１の受信機能と、
この第１の受信機能によって受信した問題データの中から問題を選択する選択機能と、
この選択機能によって選択された問題に対して答案データを入力する入力機能と、
この入力機能によって入力された答案データを送信する送信機能と、
答案データの正誤を判断し、正解と判断した答案データを解法データとして登録し、この登録された複数の解法データを前記サーバ装置から受信する第２の受信機能と、
この第２の受信機能によって受信した前記解法データを表示制御する解法データ表示制御機能と、
を実現させるためのプログラム。
【請求項８】
コンピュータに、
問題データとその正解とを記憶する記憶機能と、
この記憶機能によって記憶された問題データの中から問題を選択する選択機能と、
この選択機能によって選択された問題に対する答案データを入力する入力機能と、
この入力機能によって入力された前記答案データについて正誤を判断する判断機能と、
この判断機能によって正解と判断された答案データを解法データとして登録する解法データ登録機能と、
この解法データ登録機能によって登録された複数の解法データを表示制御する解法データ表示制御機能と、
を実現させるためのプログラム。
【発明の詳細な説明】
【０００１】
【発明の属する技術分野】
学習に関する情報を記憶し、通信回線を介して接続する情報端末装置に提供するサーバ装置、及びサーバ装置から学習に関する情報を受信して利用する情報端末装置等に関する。
【０００２】
【従来の技術】
現在、各種の教育施設では、校内又は構内にＬＡＮ（ローカルエリアネットワーク）を形成し、教師（指導者）と生徒（学習者）がパソコン等の情報端末装置を使って授業や試験、自習を実施しているケースがある。授業に必要な教材や試験問題、自習課題を電子情報化し、教師用のパソコンやサーバ装置等に記憶しておく。生徒は、各々パソコンや関数電卓等の情報端末装置によってＬＡＮに接続し、前記教師用のパソコンやサーバにアクセスして適宜ダウンロード或いは配信を受けてこれを利用する。
【０００３】
より具体的には、例えば受験や自習の場合、サーバ装置から問題データが各情報端末に送信され、情報端末装置で受信した問題データに基づいて出題される。生徒が情報端末装置から答案を入力すると、情報端末装置は答案データをサーバ装置に送信する。サーバ装置は、受信した答案データの正誤を判定し採点して、その結果を情報端末装置に返信する。これによって、従来の紙を媒体とする試験と同様に、問題の配布、答案の回収、採点及び結果の返却のプロセスを実行し、ネットワーク接続された情報端末装置等を使って受験や自習を実現している。
【０００４】
【発明が解決しようとする課題】
しかしながら、答案への採点はされるが、問題を解く過程、即ち解法についての情報は提供されることが無かった。そのために、「なぜ間違ったのか」「どの様に考えれば良いのか」と言った点については、別途教師がアドバイスをする必要があった。また、正解であれば解法の如何は問われないために、数学のように解法が複数存在する場合、生徒が得意とする特定の解法のみに偏った学習をしてしまうと言う問題も有った。
【０００５】
本発明は上記課題を鑑みてなされたものであり、その目的とするところは、情報端末装置等を利用した試験や学習において、解法に関する情報を提供可能にすることである。
【０００６】
【課題を解決するための手段】
上記課題を解決するために、請求項１に記載の発明は、通信回線を介して情報端末装置が接続されたサーバ装置において、問題データとその正解とを記憶する記憶手段（例えば、図４の記憶部３４０）と、前記情報端末装置に対して問題データを送信する第１の送信手段（例えば、図４の通信制御部３５０、図８のステップＳ１０４）と、この第１の送信手段によって送信した問題データに対応する答案データを前記情報端末装置から受信する受信手段（例えば、図４の通信制御部３５０、図８のステップＳ１０８）と、この受信手段によって受信した答案データについて正誤を判断する判断手段（例えば、図４のＣＰＵ３１０、図８ステップＳ１１２）と、この判断手段によって正解と判断された答案データを解法データとして登録する解法データ登録手段（例えば、図４の記憶部３４０、図９の解法登録処理３１０）と、この解法データ登録手段によって登録された複数の解法データを前記情報端末装置に送信する第２の送信手段（例えば、図４の通信制御部３５０、図８のステップＳ１１４）と、を備えることを特徴とする。
【０００７】
請求項６に記載の発明は、通信回線を介して情報端末装置が接続されたサーバ装置に種々の機能を実現させるためのプログラムであって、問題データとその正解とを記憶する記憶機能と、前記情報端末装置に対して問題データを送信する第１の送信機能と、この第１の送信機能によって送信した問題データに対応する答案データを前記情報端末装置から受信する受信機能と、この受信機能によって受信した答案データについて正誤を判断する判断機能と、この判断機能によって正解と判断された答案データを解法データとして登録する解法データ登録機能と、この解法データ登録機能によって登録された複数の解法データを前記情報端末装置に送信する第２の送信機能と、を実現させることを特徴とする。
【０００８】
請求項１又は６に記載の発明によれば、情報端末装置に問題データを送信し、この問題データに対応する答案データを情報端末装置から受信し、正解と判定した答案データを解法データとして登録する。そして、登録された複数の解法データを情報端末装置に送信することができる。従って、予め解法データを用意しなくとも、情報端末装置に解法に関する情報を提供できる。
【０００９】
請求項２に記載の発明は、請求項１に記載のサーバ装置であって、前記第２の記憶手段は、前記判断手段によって正解と判断された答案データの解法の中から内容の異なる解法を解法データとして記憶することを特徴とする。
【００１０】
請求項２に記載の発明によれば、請求項１に記載の発明と同様の効果を奏するとともに、答案データの解法の内容が異なるものを解法データとして記憶し、情報端末装置に送信できる。従って、受信した答案データに含まれる全ての解法を解法データとして提供できる。
【００１１】
請求項３に記載の発明は、通信回線を介してサーバ装置から問題データを受信する第１の受信手段（例えば、図３の通信制御部１５０、図８のステップＳ２０２）と、この第１の受信手段によって受信した問題データの中から問題を選択する選択手段（例えば、図３の入力部１２０、図８のステップＳ２０４）と、この選択手段によって選択された問題に対して答案データを入力する入力手段（例えば、図３の入力部１２０、図８のステップＳ２１０〜Ｓ２１６）と、この入力手段によって入力された答案データを送信する送信手段（例えば、図３の通信制御部１５０、図８のステップＳ２１８）と、を有する情報端末装置において、
答案データの正誤を判断し、正解と判断した答案データを解法データとして登録し、この登録された複数の解法データを前記サーバ装置から受信する第２の受信手段（例えば、図３の通信制御部１５０、図８のステップＳ２２２）と、この第２の受信手段によって受信した前記解法データを表示制御する解法データ表示制御手段（例えば、図３の表示部１３０、図１１のステップＳ５１０〜Ｓ５２２）と、を備えることを特徴とする。
【００１２】
請求項７に記載の発明は、通信回線を介してサーバ装置に接続されたコンピュータに、種々の機能を実現させるためのプログラムであって、問題データを受信する第１の受信機能と、この第１の受信機能によって受信した問題データの中から問題を選択する選択機能と、この選択機能によって選択された問題に対して答案データを入力する入力機能と、この入力機能によって入力された答案データを送信する送信機能と、答案データの正誤を判断し、正解と判断した答案データを解法データとして登録し、この登録された複数の解法データを前記サーバ装置から受信する第２の受信機能と、この第２の受信機能によって受信した前記解法データを表示制御する解法データ表示制御機能と、を実現させることを特徴とする。
【００１３】
請求項３又は７に記載の発明によれば、解答した問題データに対する解答データを受信して、入力した答案データに対応する解法データを受信し表示することができる。従って、解答した問題の解法に関する情報を提供できる。
【００１４】
請求項４に記載の発明は、請求項３に記載の情報端末装置であって、前記解法データは、解法の手順をステップ毎に表示するように構成され、前記解法データ表示制御手段は、前記指定手段によって指定された解法データが有するステップの内、任意のステップ又は先頭から任意のステップまでのステップを表示するステップ表示制御手段を備えることを特徴とする。
【００１５】
請求項４に記載の発明によれば、請求項３に記載の発明と同様の効果を奏するとともに、解法の手順をステップ単位で表示することができる。
【００１６】
請求項５に記載の発明は、問題データとその正解とを記憶する記憶手段（例えば、図２０の記憶部３４０）と、この記憶手段によって記憶された問題データの中から問題を選択する選択手段（例えば、図２０の入力部３２０、図２１のステップＳ６１２）と、この選択手段によって選択された問題に対する答案データを入力する入力手段（例えば、図２０の入力部３２０、図２１のステップＳ２１０〜Ｓ２１６）と、この入力手段によって入力された前記答案データについて正誤を判断する判断手段（図２０のＣＰＵ３１０、図２１のステップＳ１１２）と、この判断手段によって正解と判断された答案データを解法データとして登録する解法データ登録手段（例えば、図２０のＣＰＵ３１０、図２１のステップＳ１１２）と、この解法データ登録手段によって登録された複数の解法データを表示制御する解法データ表示制御手段（例えば、図２０の表示部３３０、図２１のステップＳ２２４）と、を備えることを特徴とする学習支援装置である。
【００１７】
請求項８に記載の発明は、コンピュータに、問題データとその正解とを記憶する記憶機能と、この記憶機能によって記憶された問題データの中から目的とする問題を選択する選択機能と、この選択機能によって選択された問題に対する答案データを入力する入力機能と、この入力機能によって入力された前記答案データについて正誤を判断する判断機能と、この判断機能によって正解と判断された答案データを解法データとして登録する解法データ登録機能と、この解法データ登録機能によって登録された複数の解法データを表示制御する解法データ表示制御機能と、を実現させるためのプログラムである。
【００１８】
請求項５又は８に記載の発明によれば、問題データを選択して、その問題への答案データが入力されると、この答案データを正誤を判断する。そして、正解と判断した答案データを解法データとして登録し、登録された解法データを表示することができる。従って、予め解法データを用意していなくとも、問題への解法に関する情報を利用者に提供することができる。
【００１９】
【発明の実施の形態】
〔第１の実施の形態〕
次に、図１〜図１９を参照して、本発明を適用した第１の実施の形態について説明する。本実施の形態では、生徒用の情報端末装置を教師によって管理されるサーバ装置に通信回線を介して接続し、数学の試験を実施する場合を例として説明する。本発明の適用がこれに限定されるものではなく、例えば、数学の試験に限らずその他の教科の試験であっても良いのは勿論である。
【００２０】
［構成の説明］
図１は、第１の実施の形態における構成の一例を示す図である。同図に示すように、本実施の形態の構成には、受験する生徒一人一人が使用する多機能関数電卓１００（１００−１〜１００−ｎ（ｎは整数））と、通信回線２と、受験を実施・監督する教師などが管理するサーバ装置３００とが含まれる。
【００２１】
通信回線２は、データ送受が可能な通信路を意味する。即ち、通信回線２は、直接接続のための専用線（専用ケーブル）やイーサネット（登録商標）等によるＬＡＮの他、電話通信網やケーブル網、インターネット等の通信網を含む意味であり、また通信方法については有線／無線を問わない。本実施の形態では、学校内ネットワーク（校内ネットワーク）がこれに該当する。
【００２２】
サーバ装置３００は、サーバやワークステーション、パソコン等によって実現される情報提供装置であって、通信回線２を介して接続した多機能関数電卓１００の要求に応じて、記憶している試験問題の問題データを適宜配信するとともに、答案データを受信して採点することができる。
【００２３】
多機能関数電卓１００は、生徒が試験の答案を入力するための情報端末装置である。通信回線２を介してサーバ装置３００に接続し、クライアント／サーバ型のネットワークを形成する。
【００２４】
図２は、多機能関数電卓１００の構成の一例を示す外観図である。同図に示すように、多機能関数電卓１００は、演算処理を行う制御ユニット１０２と、数値・関数・演算操作の入力を行う操作入力キー１０４と、所与の機能をソフトウェアによって割り当て可能なファンクションキー１０６と、記憶メディア３用のスロット１０７と、文字や数式、グラフなどを表示可能な表示画面１０８と、内蔵電池や太陽電池等の電源（図示省略）とを備え、金属や樹脂によって例えばカード形状にケーシングされている。
【００２５】
操作入力キー１０４とファンクションキー１０６は、従来と同様の操作入力手段であって、例えばキースイッチ、タッチパネルなどによって実現できる。多機能関数電卓１００は、従来の多機能関数電卓と同様に、操作入力キー１０４によって数式の入力や、表示画面１０８のスクロール操作、選択操作、決定などの操作入力が可能である。
【００２６】
表示画面１０８は、ドットによって文字や図形の描画や画像表示が可能なものであって、例えば、ＬＣＤ（Ｌｉｑｕｉｄ　Ｃｒｙｓｔａｌ　Ｄｉｓｐｌａｙ）やＥＬＤ（Ｅｌｅｃｔｒｏｎｉｃ　Ｌｕｍｉｎｅｓｃｅｎｔ　Ｄｉｓｐｌａｙ）などの表示素子であって、単数又は複数の素子の組み合わせによって実現される。
【００２７】
記憶メディア３は、プログラムやデータを記憶する情報記憶媒体であって、例えば、ＩＣメモリカード、コンパクトフラッシュ（登録商標）、ＭＯ、ＤＶＤ−ＲＡＭ、ハードディスクなどである。スロット１０７の規格は、採用する記憶メディア３に応じて適宜設定される。
【００２８】
また、多機能関数電卓１００は、通信回線２や周辺機器とデータの送受信が可能な信号ケーブル５と接続する接続端子１０５を備える。接続端子１０５は、通信回線２や周辺機器（例えば、計測器、データ収集器、プリンタ、モデム、携帯電話、パソコンなど）とを繋ぐ信号ケーブルに接続可能な端子とその制御部であって、接続する信号ケーブル５の規格に応じて適宜決定される。図２では有線接続の例を示しているが有線に限らず、例えば、赤外線等の無線を利用しても良い。この場合、接続端子１０５は無線の送受信モジュール及び無線送受信端子になる。
【００２９】
本実施の形態では、生徒は表示画面１０８に表示され出題された問題を見て、操作入力キー１０４を操作してその答案を入力して試験を受ける。尚、本実施の形態では、情報端末装置として多機能関数電卓を使用するが、その他パソコン、ＰＤＡ（パーソナル・デジタル・アシスタント）などであっても良いのは勿論である。
【００３０】
［機能ブロックの説明］
次に、本実施の形態における機能構成について説明する。
図３は、本実施の形態における多機能関数電卓１００の機能構成の一例を示す機能ブロック図である。同図に示すように、多機能関数電卓１００は、ＣＰＵ１１０と、入力部１２０と、表示部１３０と、記憶部１４０と、記憶媒体読取部１６０と、通信制御部１５０とを有する。各構成要素はデータバス１９０によって、互いにデータ送受可能に接続されている。
【００３１】
ＣＰＵ１１０は、演算制御によって各種の機能を実現し、多機能関数電卓１００を統合的に制御する。図２の制御ユニット１０２がこれに該当する。
入力部１２０は、生徒による各種操作を受け付け、操作入力信号をＣＰＵ１１０に出力する。入力部１２０は、例えばキーボードや、タッチパネル、マウス、トラックバッド、方向キー、レバー等によって実現される。図２の操作入力キー１０４とファンクションキー１０６がこれに該当する。
表示部１３０は、ＣＰＵ１１０からの制御信号に従って、文字や図画等を画像表示出力する。表示部１３０は、例えばＬＣＤ、ＥＬＤ、ＰＤＰ（Ｐｌａｓｍａ　Ｄｉｓｐｌａｙ　Ｐａｎｅｌ）などによって実現される。図２の表示画面１０８がこれに該当する。
【００３２】
記憶部１４０は、ＣＰＵ１１０の演算処理に必要なプログラムやデータを記憶する。記憶部１４０は、例えば、ＩＣメモリー、ハードディスク、ＭＯ、ＣＤ−ＲＯＭ、ＤＶＤなどによって実現される。図２の制御ユニット１０２に搭載されているＩＣメモリや、記憶メディア３がこれに該当する。
多機能関数電卓１００の記憶部１４０は、システムプログラムや各種ドライバプログラム等を記憶するとともに、ネット試験プログラム１４１と、問題データ１４２と、答案データ１４３と、解答データ１４４と、解法データ１４５と、計算コマンド情報１４６とを記憶する。
【００３３】
ネット試験プログラム１４１は、ＣＰＵ１１０に本実施の形態に係る種々の機能を実現させる為のプログラムとデータを格納している。より具体的には、サーバ装置３００と通信回線２を介して接続してクライアント／サーバ型のネットワークを形成し、後述するネット試験処理、解答表示処理等を実行させる。
【００３４】
問題データ１４２は、サーバ装置３００より後述する問題データ３４２と同じ内容の情報であって、受信後記憶される。試験に複数の設問が有る場合は、問題データ１４２はその数だけ記憶される。本実施の形態では、数学の試験を実施するので数学の設問を表示画面１０８に表示するためのテキストや画像データなどが含まれる。また、計算コマンド（詳細後述）が使用可能であるか否かの情報も適宜含む。
【００３５】
答案データ１４３は、問題データ１４２に対する答案の情報である。
図５は、本実施の形態における答案データ１４３のデータ構成の一例を示す図である。同図に示すように答案データ１４３は、例えば生徒の出席番号など受験者を識別するための利用者ＩＤ１４３ａと、問題データ１４２の識別情報と対応し当該答案が対応する問題を特定する問題番号１４３ｂと、解法の手順を示すステップ１４３ｃごとに区分された答案内容１４３ｄと、問題データ１４２が選択されてから答案の入力を終了するまでの時間を計測した時間を示す解答時間１４３ｅとを含む。本実施の形態では、数学の試験を実施するので解法のステップ１４３ｃは、例えば入力部１２０からの入力に基づいて実行される式の変形や改行ごとに設けられる。
【００３６】
問題番号１４３ｂは、例えば単元番号と該単元における通し番号などを含むとしても良い。また、図示していないが、答案データ１４３には多機能関数電卓１００のネットワーク上のアドレス情報が適宜含まれるのは勿論である。
後述するように、サーバ装置３００は多機能関数電卓１００より答案データ１４３を受信し、同じ内容の答案データを３４３として記憶する。
【００３７】
解答データ１４４は、サーバ装置３００が解答データ３４３を集計して後述する解答データ３４４として作成し、評価の後に多機能関数電卓１００に送信する情報であって、採点結果などの情報が含まれる。
【００３８】
解法データ１４５は、サーバ装置３００より受信し一時的に記憶されるデータであって、後述する解法データ３４５と同じ内容の問題ごとの適切な解法に関する情報が格納されている。
【００３９】
計算コマンド情報１４６は、公知の計算コマンドを使用可能にするための情報を格納する。計算コマンドとは、答案の作成を補助する公知の機能であって、例えば、数学であれば公式への数値の入力、式の変形、約分などの機能を自動的に実行する。ここで計算コマンドの例を説明すると、例えば「＋ｎ−ｎ」の計算コマンドは、該計算コマンドの選択入力の後に入力された数字に自動的に＋−符合を付けて入力する。「ｓｉｍｐｌｉｆｙ」の計算コマンドは、式中の同類項を自動的に計算する。例えば、「−４−５」が有れば「−９」にまとめる。また、「ｆｏｒｍｕｌａ」は、予め設定された公式に従って自動的に式を変形する。具体的な計算コマンドの設定は適宜選択して構わない。
【００４０】
通信制御部１５０は、通信回線２に接続して、サーバ装置３００との間でデータ送受信を実行する。通信制御部１５０は、例えば、モデム、ＴＡ（Ｔｅｒｍｉｎａｌ　Ａｄａｐｔｅｒ）、無線通信器、赤外線通信機などの通信機器、及びそれらのドライバによって実現される。
【００４１】
記憶媒体読取部１６０は、多機能関数電卓１００に着脱自在な記憶媒体１７０からデータの読み取り及び書き込みを実行する。記憶媒体１７０は、例えば、図２の記憶メディア３に該当し、ＦＤ（登録商標）や、ＭＯ、ＣＤ−ＲＯＭ、ＤＶＤ−ＲＯＭ、ＤＡＴ、ＩＣメモリーカードなどであっても良い。また、前述の記憶部１４０に記憶されていたプログラム及びデータが、記憶媒体１７０に記憶される構成としても良い。
【００４２】
次に、サーバ装置３００について説明する。
図４は、本実施の形態におけるサーバ装置３００の機能構成の一例を示す機能ブロック図である。同図に示すように、サーバ装置３００は、ＣＰＵ（Ｃｅｎｔｒａｌ　Ｐｒｏｃｅｓｓｉｎｇ　　Ｕｎｉｔ）３１０と、入力部３２０と、表示部３３０と、記憶部３４０と、通信制御部３５０と、記憶媒体読取部３６０を有する。そして、各構成要素はデータバス３９０によって、互いにデータ送受可能に接続されている。
【００４３】
ＣＰＵ３１０は、演算制御によって各種の機能を実現し、サーバ装置３００を情報提供装置として統合的に制御する。
入力部３２０は、教師による各種操作を受け付け、操作入力信号をＣＰＵ３１０に出力する。入力部３２０は、例えば、キーボード、タッチパネル、マウス、トラックバッド、方向キー、レバー等によって実現される。
表示部３３０は、ＣＰＵ３１０からの制御信号に従って、文字や図画等を画像表示出力する。表示部３３０は、例えば、ＣＲＴ（Ｃａｔｈｏｄｅ　Ｒａｙ　Ｔｕｂｅ）、ＬＣＤ、ＥＬＤ、ＰＤＰなどの画像表示装置、及びそのドライバ等によって実現される。
【００４４】
記憶部３４０は、ＣＰＵ３１０の演算処理に必要なプログラムやデータを記憶する。記憶部３４０は、例えば、ＩＣメモリー、ハードディスク、ＭＯ、ＣＤ−ＲＯＭ、ＤＶＤなどによって実現される。
サーバ装置３００の記憶部３４０は、システムプログラムや各種ドライバプログラム等とともに、試験支援プログラム３４１と、問題データ３４２と、答案データ３４３と、解答データ３４４と、解法データ３４５とを記憶する。
【００４５】
試験支援プログラム３４１は、問題データ３４２の配信や、多機能関数電卓１００から答案データ１４３の受信、答案の採点、解法の登録などに係る種々の機能を実現させる為のプログラムとデータを格納している。
【００４６】
問題データ３４２は、当該試験における設問内容とその正解及び配点を格納する。本実施の形態では、数学の試験を実施するので複数の数学の設問を表示画面１０８に表示するためのテキストや画像データなどが含まれるとしても良い。１つの試験で複数の設問がある場合は、問題データ３４２をグループ化して格納するとしても良い。
【００４７】
答案データ３４３は、多機能関数電卓１００から受信した答案データ１４３と同じ内容の情報であって、答案データ１４３と同じものであり、受験する生徒の数、即ち通信回線２を介して接続される多機能関数電卓１００の数だけ記憶される。
【００４８】
解答データ３４４は、答案データ３４３を集計し作成され、実施された試験の解答や採点結果に関する情報格納する。従って、解答データ３４４は、多機能関数電卓１００毎、即ち受験する生徒毎に記憶され、評価の後それぞれ対応する多機能関数電卓１００に送信される。送信された解答データ３４４は、前述の解答データ１４４として多機能関数電卓１００の記憶部１４０に記憶される。
【００４９】
図６は、解答データ３４４のデータ構成の一例を示す図である。同図に示すように、解答データ３４４は、例えば利用者ＩＤ３４４ａや、試験区分情報３４４ｂ、問題番号３４４ｃ毎の解法番号３４４ｄと正誤３４４ｅと得点３４４ｆ、及び総得点３４４ｇ、総所要時間３４４ｈなどを含む。
【００５０】
利用者ＩＤ３４４ａは、受験者を識別する情報であって、答案データ３４３の利用者ＩＤ１４３ａ（図５参照）と一致する。例えば生徒の出席番号や多機能関数電卓１００の識別情報などであっても良い。
試験区分情報３４４ｂは、当該試験を識別する情報であって、例えば教科の単元や試験の名称などが適宜格納される。
問題番号３４４ｃは、問題の識別情報であって、答案データ３４３の問題番号１４３ｂ（図５参照）と対応する。
解法番号３４４ｄは、各問題に対する解法を識別する情報であって、受験者による答案データ３４３で使用された解法を示す使用解法番号３４４ｄ−１と、それ以外の解法を示す他解法番号３４４ｄ−２とを含む。解法番号３４４ｄは、後述する解法データ３４５のそれと対応する。
正誤３４４ｅは、当該問題を正解したか否かを示す情報である。
得点３４４ｆは、当該問題の答案に与えられた得点を格納する。
総得点３４４ｇは、得点３４４ｆの合計である。
総所要時間３４４ｈは、当該試験の解答に要した時間を示す情報であって、例えば各人の答案データ３４３の解答時間１４３ｅ（図５参照）を総合して得た、試験の所要時間が格納される。
【００５１】
解法データ３４５は、問題を解くための正しい解法を示す情報であって、問題データ３４２毎に設けられる。
図７は、本実施の形態における解法データ３４５のデータ構成の一例を示す図である。同図に示すように、本実施の形態における解法データ３４５は、対応する問題データ３４２を示す問題番号３４５ａを含みこれによって識別される。そして、正解と判定され、且つその答案内容１４３ｄが他と異なる答案データ３４４を、解法を示す模範解答として位置付け、答案内容１４３ｄに解法番号３４５ｂを付して格納する。即ち、解法データ３４５では、正解の答案データ３４４の答案内容１４３ｄを模範解答として格納し、そのまま解法を示す情報として扱う。従って、教師が事前に用意する必要は無い。解法番号３４５ｂは、解答データ３４４の解法番号３４４ｄに対応する。
【００５２】
更に解法データ３４５に格納される答案内容１４３ｄは、解法の手順を示す複数のステップ３４５ｃに区分されて格納されている。本実施の形態では、数学を試験問題としているので、例えばステップは数式の変形や改行ごとに設けられる。
また、解法毎に当該試験においてその解法を使用した答案データ３４３の総数を利用者数３４５ｄとして格納する。
【００５３】
通信制御部３５０は、通信回線２に接続して、多機能関数電卓１００との間でデータ送受信を実行する。通信制御部３５０は、例えば、モデム、ＴＡ、ＤＳＵ、無線通信器、赤外線通信機などの通信機器、及びそれらのドライバによって実現される。
【００５４】
記憶媒体読取部３６０は、サーバ装置３００に着脱自在な記憶媒体３７０からデータの読み取り及び書き込みを実行する。記憶媒体３７０は、例えば、ＦＤ（登録商標）、ＭＯ、ＣＤ−ＲＯＭ、ＤＶＤ−ＲＯＭ、ＤＡＴ、ＩＣメモリーカードなどが該当する。記憶部３４０に記憶されていたプログラム及びデータは、適宜記憶媒体３７０に記憶されている構成としても良い。
【００５５】
［処理フロ−の説明］
次に、図８〜図１９を参照して、本実施の形態における処理の流れについて説明する。尚、以下では多機能関数電卓１００及びサーバ装置３００とが既に通信回線２に接続され、相互でデータ送受信可能な状態にあるものとして説明する。
【００５６】
図８は、本実施の形態における処理の流れを説明するためのフローチャートである。
先ず、サーバ装置３００で教師が試験内容を選択する（ステップＳ１０２）。問題データ３４２の一覧を表示し、その中から任意に選択するとしても良いし、単元毎に複数の問題データ３４２がグループ化されたものを選択するとしても良い。試験内容が選択されたならば、サーバ装置３００は、多機能関数電卓１００に問題データ３４２を送信する（ステップＳ１０４）。
【００５７】
多機能関数電卓１００は、問題データ３４２を受信し記憶部１４０に問題データ１４２として一時的に記憶する（ステップＳ２０２）。そして、その内の１つを適宜選択して出題すると同時に時間データの計測を開始する（ステップＳ２０４）。本実施の形態では、出題は問題データ１４２に格納されている問題文や数式などを表示画面１０８に表示して行われる。この際、選択された問題データ１４２が、計算コマンドを使用可能な問題である場合（ステップＳ２０６のＹＥＳ）、多機能関数電卓１００は、計算コマンド情報１４６に従って、表示画面１０８に計算コマンドを表示する（ステップＳ２０８）。
【００５８】
問題が出題されたならば、生徒が操作入力キー１０４及びファンクションキー１０６を操作して答案を入力する（ステップＳ２１０）。
多機能関数電卓１００は、答案データ１４３を設定し、入力部１２０からの操作入力信号に基づいて答案内容１４３ｄを記憶する（ステップＳ２１２）。そして、答案内容１４３ｄを表示画面１０８に表示する（ステップＳ２１４）。
【００５９】
図１２〜図１５は、本実施の形態における画面表示の一例を示す図である。これら各図に示すように、例えば設問表示ウィンドウ１０に問題文と問題の数式を表示する。画面下部にはファンクションキー１０６に割り当てられた計算コマンド１２を表示する。
【００６０】
図１２〜図１５は、それぞれ異なる生徒（Ａさん〜Ｄさん）による入力例を示している。答案内容１４３ｄは所定の答案表示領域１４に表示される。図１２〜図１５各図の（ｂ）に示すように答案内容１４３ｄの量が表示領域を越える場合は、答案表示領域１４を適宜スクロールする。スクロールの際、設問表示ウィンドウ１０はスクロールされずに常に表示状態にある構成としても良い
【００６１】
ステップＳ２１０〜Ｓ２１４の処理は、答案の入力が終了するまで繰返し実行される（ステップＳ２１６のＮＯ）。答案入力の終了は、例えば所定の操作入力キー１０４やファンクションキー１０６の入力によって決定される。
答案の入力が終了したならば（ステップＳ２１６のＹＥＳ）、多機能関数電卓１００は、計測した時間データを答案データ１４３に記憶し、答案データ１４３をサーバ装置３００に送信する（ステップＳ２１８）。そして、他の問題を解く場合はステップＳ２０４に戻る（ステップＳ２２０のＹＥＳ）。
【００６２】
サーバ装置３００は、問題データ３４２の送信後、例えば教師によって入力部３２０から所定の入力をトリガーにして、試験時間のタイマーカウントを始める（ステップＳ１０６）。
試験時間中、サーバ装置３００は多機能関数電卓１００から答案データ１４３を随時受信するし答案データ３４３として記憶部３４０に記憶する（ステップＳ１０８）。ステップＳ１０８は試験時間が終了するまで実行される（ステップＳ１１０のＮＯ）。
試験時間が終了した場合（ステップＳ１１０のＹＥＳ）、サーバ装置３００は、答案判定処理を実行する（ステップＳ１１２）。
【００６３】
図９は、本実施の形態における答案判定処理の流れを説明するためのフローチャートである。同図に示すように、サーバ装置３００は、先ず答案データ３４３の１つを読出し（ステップＳ３０２）、当該答案データ３４３に対応する問題データ３４２に格納されている正解と、答案内容１４３ｄとを比較して答案の正誤を判定する（ステップＳ３０４）。
【００６４】
例えば、図１２〜図１５の問題の場合、正解は「Ｘ＝９」と「Ｙ＝−１２」となる。サーバ装置３００は、答案データ３４４ｄの答案内容１４３ｄを解法のステップ順に正解と比較する。図１２〜図１４で示されるＡさん、Ｂさん、Ｃさんの各答案には、「Ｘ＝９」と「Ｙ＝−１２」が含まれているので正解と判定する。図１５のＤさんの答案では「Ｘ＝５１／７」「Ｙ＝−２／７」となっており、「Ｘ＝９」と「Ｙ＝−１２」が含まれていないので不正解（誤）と判定する。
【００６５】
答案が不正解（誤）と判定された場合（ステップＳ３０６のＮＯ）、サーバ装置３００は解答データ３４４の正誤３４４ｅに「不正解」を記憶する（ステップＳ３０８）。図６の「×」印がこれに該当する。同時に得点３４４ｆを記憶するとしても良い。
答案が正解と判定された場合（ステップＳ３０６のＹＥＳ）、サーバ装置３００は解法登録処理を実行する（ステップＳ３１０）。
【００６６】
図１０は、本実施の形態における解法登録処理の流れを説明するためのフローチャートである。同図に示すように、サーバ装置３００は、当該問題について初めての処理であるか否かを判断する（ステップＳ４０２）。例えば当該問題に対応する解法データ３４５が記憶部３４０に記憶されているか否かで判断する。
初めての処理であると判断した場合（ステップＳ４０２のＹＥＳ）、新たに解法データ３４５を設定する（ステップＳ４０３）。そして、新しい解法番号３４５ｂを付けて当該答案データ３４３の答案内容１４３ｄを解法データ３４５に登録し、利用者数３４５ｄに「１」を記憶する（ステップＳ４０４）。
【００６７】
初めての処理でないと判断した場合（ステップＳ４０２のＮＯ）、現在対象としている答案データ３４３の答案内容１４３ｄと、既に登録済みの答案内容１４３ｄとを比較する（ステップＳ４０６）。
全てのステップが答案データ３４３の答案内容１４３ｄに一致する解法が、無い場合（ステップＳ４０８のＮＯ）、新しい解法番号３４５ｂを付けて答案内容１４３ｄを登録し、利用者数３４５ｄに「１」を登録し（ステップＳ４０４）、解法登録処理を終了して図９のフローに戻る。
【００６８】
全てのステップが答案内容１４３ｄに一致する解法が既に登録されている場合（ステップＳ４０８のＹＥＳ）、一致した解法の解法番号３４５ｂを解答データ３４４の使用解法番号３４４ｄ−１に記憶して（ステップＳ４１０）、利用者数３４５ｄに「１」加算する。そして、解法登録処理を終了して図９のフローに戻る。
【００６９】
図９のフローにもどって、サーバ装置３００は、解答データ３４４の正誤３４４ｅに「正解」を記憶する（ステップＳ３１２）。図６の「○」印がこれに該当する。同時に得点３４４ｆを記憶するとしても良い。
サーバ装置３００は、全ての答案データ３４３を処理するまでステップＳ３０２からＳ３１２を繰り返す（ステップＳ３１４のＮＯ）。
【００７０】
全ての答案データ３４３について正誤の判定及び正解時の解法登録処理を実行したならば、解答データ３４４に総得点３４４ｇ及び総所要時間３４４ｈを記憶する（ステップＳ３１４のＹＥＳ）。次にサーバ装置３００は、１つの解答データ３４４を読出す（ステップＳ３１６）。
そして、正誤３４４ｅに「正解」が記憶されている問題を検索し（ステップＳ３１８のＹＥＳ）、検索された問題の解法データ３４５を参照して、解法データ３４５に登録されているその他の解法番号３４５ｂを解答データ３４４の他解法番号３４４ｄ−２に記憶する（ステップＳ３２０）。より具体的には、使用解法番号３４４ｄ−１と異なる解法番号３４５ｂを解法データ３４５より検索し他解法番号３４４ｄ−２に記憶する。
【００７１】
次に、正誤３４４ｅに「不正解」が記憶されている問題を検索し（ステップＳ３２２のＹＥＳ）、検索された問題に対応する解法データ３４５を参照して、解法データ３４５に登録されている全ての解法番号３４５ｂを記憶する（ステップＳ３２４）。より具体的には、使用解法番号３４４ｄ−１と他解法番号３４４ｄ−２とに記憶されている全ての解法番号３４５ｂを解答データ３４４の他解法番号３４４ｄ−２に記憶する。
【００７２】
サーバ装置３００は、全ての解答データ３４４を処理するまでステップＳ３１６からＳ３２４を繰り返す（ステップＳ３２６のＮＯ）。全ての解答データ３４４を処理したならば（ステップＳ３２６のＹＥＳ）、図８のフローに戻る。
【００７３】
図８のフローに戻って、答案判定処理を終了したならば、サーバ装置３００は多機能関数電卓１００に、それぞれに対応する解答データ３４４と、解法データ３４５とを送信する（ステップＳ１１４）。
多機能関数電卓１００は、解答データ３４４と解法データ３４５を受信して、それぞれ解答データ１４４、解法データ１４５として記憶し（ステップＳ２２２）、解答表示処理を実行する（ステップＳ２２４）。
【００７４】
図１１は、本実施の形態における解答表示処理の流れを説明するためのフローチャートである。多機能関数電卓１００は、先ず問題番号３４４ｃごとに正解／不正解の一覧と解答表示ボタンを表示する（ステップＳ５０２、ステップＳ５０４）。
【００７５】
図１６は、ステップＳ５０２における画面表示の一例を示す図である。同図に示すように、例えば画面には採点結果１６と、問題番号１８とその正誤表示２０と、解法を表示させる解答表示ボタン２２とを表示する。問題数が表示画面に全て表示できない場合には、適宜画面をスクロールさせて表示する。
【００７６】
解答表示ボタン２２は、例えば問題毎に操作入力キー１０４に対応して設定される。同図の例では各問題が「１」〜「５」の数値を入力する各操作入力キー１０４に対応している。生徒は当該画面を見て、今回の試験の結果を知り、解法について知りたい場合は解答表示ボタン２２に対応する操作入力キー１０４を入力する。
【００７７】
解答表示ボタン２２に対応する操作入力キー１０４が入力された場合（ステップＳ５０６のＹＥＳ）、多機能関数電卓１００は、解答データ１４４を参照して、選択された解答表示ボタン２２に対応する解法データ１４５を参照して解法の選択画面を表示する（ステップＳ５０８）。
【００７８】
図１７は、本実施の形態における解法の選択画面の一例を示す画面図である。同図に示すように、選択画面には、解法データ１４５を参照して使用解法番号３４４ｄ−１に対応し生徒自身が作成した答案の解法を選択する第１選択ボタン２４と、他解法番号３４４ｄ−２の各番号に対応し他の解法を表示する第２選択ボタン２６とを表示する。第２選択ボタン２６は、他解法番号３４４ｄ−２の数だけ表示する。同図の例では、各選択ボタンの数は、数字入力する操作入力キー１０４に記されている数字に対応している。
生徒は、知りたい解法を選択し、対応する操作入力キー１０４を入力する（ステップＳ５０９）。
【００７９】
表示する解法が選択されたならば、多機能関数電卓１００は解法データ１４５から、選択された解法の答案内容を読出し（ステップＳ５１０）、解法を表示する初期画面を表示する（ステップＳ５１２）。即ち、第１選択ボタン２４が選択された場合は、解答データ１４４の使用解法番号３４４ｄ−１に対応する答案内容を解法データ１４５より読出し、第２選択ボタン２６が選択された場合には、他解法番号３４４ｄ−２のそれぞれに対応する答案内容を解法データ１４５より読み出す。
【００８０】
図１８は、解法を表示する場合の初期画面の一例を示す図である。解法表示領域１４に、ステップＳ５１０で読み出された答案内容の第１ステップ目の内容を表示する。また画面には、ステップ指示欄３２と、次表示ボタン３４が表示され、ファンクションキー１０６に終了３６が設定される。尚、ステップ指示欄３２は、例えば図１９に示すように表示するステップの範囲を指定するものであっても良いのは勿論である。
【００８１】
次に、操作入力キー１０４でステップ指示欄３２にステップ数を入力すると（ステップＳ５１４のＹＥＳ）、指定されたステップまでジャンプして内容を表示する（ステップＳ５１６）。次に、表示ボタン３４が選択された場合（ステップＳ５１８のＹＥＳ）、次のステップの内容を順次表示する（ステップＳ５２０）。
【００８２】
ステップが最後まで到達した場合（ステップＳ５２２のＹＥＳ）及び終了３６に当るファンクションキー１０６が選択された場合（ステップＳ５２４のＹＥＳ）、解答表示処理を終了する。
以上の処理によって、生徒は自分の答案に用いた解法のほかに、他の解法について知ることができる。
【００８３】
〔第２の実施の形態〕
次に図２０〜図２２を参照して、本発明を適用した第２の実施の形態について説明する。本実施の形態では、ネットワーク接続しないスタンドアローンの処理装置２００で実現する場合を例とする。第１の実施の形態と同様の構成要素については同じ番号を付して説明を省略する。
【００８４】
処理装置２００は教室や自習室など設置或いは貸し出され、生徒が処理装置２００を使って自習をする。即ち、一台の処理装置２００を複数の生徒が自習に使用する。或いは、処理装置２００はネットワーク接続されていない状態のサーバ装置３００であっても良い。
【００８５】
図２０は、第２の実施の形態における処理装置２００の機能構成の一例を示す機能ブロック図である。同図に示すように、処理装置２００の記憶部３４０には、自習支援プログラム３４６と、自習履歴データ３４７とを含む。
【００８６】
自習支援プログラム３４６は、設問の出題、答案の入力、解法の表示などの処理を実行させるためのプログラムである。
問題データ３４２は、予め教師が自習用教材として用意される。
自習履歴データ３４７は、利用する生徒毎に設けられ、解答データ３４４を格納する。利用時間や回数などの利用履歴情報を含むとしても良い。
【００８７】
図２１は、第２の実施の形態における処理の流れを説明するためのフローチャートである。同図に示すように、先ず処理装置２００は初期画面を表示する（ステップＳ６０２）。
図２２は、本実施の形態における初期画面の一例を示す図である。同図に示すように初期画面には利用者ＩＤ入力欄３８と、問題番号入力欄４０と、自習問題一覧４２が表示される。利用者ＩＤ入力欄３８は、解答データ３４４の利用者ＩＤ３４４ａを入力する欄であり、問題番号入力欄４０は、これから自習する問題を入力する欄である。選択可能な問題は自習問題一覧４２から選ぶ。
【００８８】
生徒は先ず利用者ＩＤを入力する（ステップＳ６０４）。
利用者ＩＤが入力されたならば、処理装置２００は、利用者ＩＤに対応する自習履歴データ３４７を検索し（ステップＳ６０６のＹＥＳ）読み出す（ステップＳ６０８）。見つからない場合（ステップＳ６０６のＮＯ）は、新たに作成する（ステップＳ６１０）。
【００８９】
次に生徒は問題番号入力欄４０に問題番号を入力する（ステップＳ６１２）。問題番号が入力されたならば、処理装置２００は当該番号に該当する問題データ３４２を検索し出題する（ステップＳ６１４）。
検索された問題データ３４２で計算コマンドが使用可能である場合（ステップＳ２０６のＹＥＳ）には、第１の実施の形態と同様に計算コマンドを表示する（ステップＳ２０８）。
【００９０】
出題されたならば、生徒が答案を入力し、答案内容は答案データ３４３として記憶される（ステップＳ２１０〜Ｓ２１４）。答案の入力が終了したら（ステップＳ２１６のＹＥＳ）、処理装置２００は図９で示した答案判定処理のサブルーチンを実行し（ステップＳ１１２）、図１１で示した解答表示処理のサブルーチンを実行する（ステップＳ２２４）。解答表示処理によって、生徒は答案の正誤と解法の復習をし、更に他の解法について学習することができる。
【００９１】
以上、本発明の第１及び第２の実施の形態について説明したが、本発明の適用がこれらに限定されるものではなく、発明の趣旨を逸脱しない限りにおいて、適宜要素の追加や変更を加えても良い。
【００９２】
例えば、第１の実施の形態では、図８のステップＳ１０４において問題データ３４２の送信を試験の前問を一度に送信するとしたが、一問ずつ送信し、答案データ１４３を受信したら次の問題データ３４２を送信する構成としても構わない。または、所定数ずつ送信するとしても良い。
【００９３】
【発明の効果】
本発明を適用したサーバ装置によれば、情報端末装置に問題データを送信し、この問題データに対応する答案データを情報端末装置から受信し、正解と判定した答案データを解法データとして記憶する。そして、情報端末装置に解法データとを送信することによって、予め解法データをサーバに用意しなくとも、情報端末装置に解法に関する情報を提供できる。
【００９４】
また、本発明を適用した情報端末装置によれば、サーバ装置から問題データを受信し、この問題データに対する答案データを入力しサーバ装置に送信する。そして、サーバ装置から正解と判断された複数の答案データを解法データとして受信して表示することによって、解答した問題の解法に関する情報を提供できる。
【００９５】
また、本発明を適用した学習支援装置によれば、問題データを選択して、その問題への答案データが入力されると、この答案データの正誤を判断し、正解と判断された答案データを解法データとして登録する。そして登録された複数の解法データを表示することによって、予め解法データを用意していなくとも、問題への解法に関する情報を利用者に提供することができる。
【図面の簡単な説明】
【図１】第１の実施の形態における構成の一例を示す図。
【図２】多機能関数電卓の構成の一例を示す外観図。
【図３】多機能関数電卓の機能構成の一例を示す機能ブロック図。
【図４】サーバ装置の機能構成の一例を示す機能ブロック図。
【図５】多機能関数電卓における答案データのデータ構成の一例を示す図。
【図６】サーバ装置における解答データのデータ構成の一例を示す図。
【図７】サーバ装置における解法データのデータ構成の一例を示す図。
【図８】第１の実施の形態における処理の流れを説明するためのフローチャート。
【図９】サーバ装置における答案判定処理の流れを説明するためのフローチャート。
【図１０】サーバ装置における解法登録処理の流れを説明するためのフローチャート。
【図１１】多機能関数電卓における解答表示処理の流れを説明するためのフローチャート。
【図１２】答案入力時の画面表示の一例を示す図。
【図１３】答案入力時の画面表示の一例を示す図。
【図１４】答案入力時の画面表示の一例を示す図。
【図１５】不正解な答案入力時の画面表示の一例を示す図。
【図１６】解答表示処理における正誤の一覧が表示された画面表示の一例を示す図。
【図１７】解答表示処理における解法の選択画面の一例を示す画面図。
【図１８】解答表示処理における解法を表示する場合の初期画面の一例を示す図。
【図１９】解答表示処理における解法を表示する場合の初期画面の別例を示す図。
【図２０】第２の実施の形態における情報端末装置の機能構成の一例を示す機能ブロック図。
【図２１】第２の実施の形態における処理の流れを説明するためのフローチャート。
【図２２】第２の実施の形態における初期画面の一例を示す図。
【符合の説明】
１００　多機能関数電卓
１４０　記憶部
１４１　ネット試験プログラム
１４２　問題データ
１４３　答案データ
１４３ａ　利用者ＩＤ
１４３ｂ　問題番号
１４３ｄ　答案内容
１４４　解答データ
１４５　解法データ
１４６　計算コマンド情報
３００　サーバ装置
３４０　記憶部
３４１　試験支援プログラム
３４２　問題データ
３４３　答案データ
３４４　解答データ
３４４ａ　利用者ＩＤ
３４４ｂ　問題番号
３４４ｄ　解法番号
３４４ｄ−１　使用解法番号
３４４ｄ−２　他解法番号
３４５　解法データ
３４５ａ　問題番号
３４５ｂ　解法番号
３４６　自習支援プログラム
【図１】
2004093915.tif 000003
【図２】
2004093915.tif 000004
【図３】
2004093915.tif 000005
【図４】
2004093915.tif 000006
【図５】
2004093915.tif 000007
【図６】
2004093915.tif 000008
【図７】
2004093915.tif 000009
【図８】
2004093915.tif 000010
【図９】
2004093915.tif 000011
【図１０】
2004093915.tif 000012
【図１１】
2004093915.tif 000013
【図１２】
2004093915.tif 000014
【図１３】
2004093915.tif 000015
【図１４】
2004093915.tif 000016
【図１５】
2004093915.tif 000017
【図１６】
2004093915.tif 000018
【図１７】
2004093915.tif 000019
【図１８】
2004093915.tif 000020
【図１９】
2004093915.tif 000021
【図２０】
2004093915.tif 000022
【図２１】
2004093915.tif 000023
【図２２】
2004093915.tif 000024